(57)【要約】【課題】サブカメラによる撮影においても、適切な色合いでの撮影を可能とする。【解決手段】サブカメラ（４２）を用いる撮影の指示を受け付ける操作受付部（５０）と、サブカメラ（４２）による撮影時に、サブカメラ（４２）の撮影方向とは異なる方向を照射する発光部（３０）を発光させる発光制御部（１１）とを備える。【選択図】図１
2018091923.tif 000002
【特許請求の範囲】
【請求項１】
撮影方向の異なる複数の撮影部と発光部とを備えた撮影装置において、
上記複数の撮影部のうちの１つである第１撮影部を用いる撮影の指示を受け付ける指示受付部と、
上記第１撮影部による撮影時に、該第１撮影部の撮影方向とは異なる方向であって、該第１撮影部と異なる撮影部の撮影方向と同じ方向を照射する上記発光部を発光させる発光制御部と、を備えていることを特徴とする撮影装置。
【請求項２】
上記第１撮影部による撮影時に、該第１撮影部と異なる撮影部の撮影方向と同じ方向を照射する上記発光部を発光させるか否かを決定する発光決定部を備え、
上記発光制御部は、上記発光決定部の決定に従って、上記発光部を発光させることを特徴とする請求項１に記載の撮影装置。
【請求項３】
上記発光制御部は、上記第１撮影部による撮影前に上記発光部を発光させるプリ発光を行い、
上記発光決定部は、上記プリ発光とともに撮影された撮影画像を用いて、上記発光部を発光させるか否かを決定することを特徴とする請求項２に記載の撮影装置。
【請求項４】
上記プリ発光とともに撮影された撮影画像は、上記複数の撮影部のうち上記発光部に対応する撮影部である第２撮影部により上記プリ発光の前後にわたって撮影されたものであり、
上記発光決定部は、上記撮影画像における上記プリ発光前後の輝度の変化を用いて上記発光部を発光させるか否かを決定することを特徴とする請求項３に記載の撮影装置。
【請求項５】
上記プリ発光とともに撮影された撮影画像は、上記第１撮影部により上記プリ発光の前後にわたって撮影されたものであり、
上記発光決定部は、上記撮影画像における上記プリ発光前後の輝度の変化を用いて上記発光部を発光させるか否かを決定することを特徴とする請求項３に記載の撮影装置。
【請求項６】
上記発光部の照射方向に存在する物体までの距離を測定する測距部を備え、
上記発光決定部は、上記測距部が測定した上記距離を用いて、上記発光部を発光させるか否かを決定することを特徴とする請求項２〜５のいずれか１項に記載の撮影装置。
【請求項７】
上記発光制御部は、上記第１撮影部による撮影時に上記発光部を発光させるプリ発光を行い、
表示面の垂線方向が、上記第１撮影部の撮影方向と略同じ表示部と、
上記プリ発光時の上記複数の撮影部の何れかによる撮影画像の色温度を測定する色温度測定部と、
上記第１撮影部による撮影時に、上記色温度測定部の測定結果に基づいて導出された色を上記表示部に点灯させる表示制御部と、を備えていることを特徴とする請求項１に記載の撮影装置。
【請求項８】
撮影方向の異なる複数の撮影部と発光部とを備えた撮影装置の制御方法において、
上記複数の撮影部のうちの１つである第１撮影部を用いる撮影の指示を受け付ける指示受付ステップと、
上記第１撮影部による撮影時に、該第１撮影部の撮影方向とは異なる方向であって、該第１撮影部と異なる撮影部の撮影方向と同じ方向を照射する上記発光部を発光させる発光制御ステップと、を含むことを特徴とする撮影装置の制御方法。
【請求項９】
請求項１に記載の撮影装置としてコンピュータを機能させるための制御プログラムであって、上記発光制御部としてコンピュータを機能させるための制御プログラム。
【発明の詳細な説明】
【技術分野】
【０００１】
本発明は、撮影方向が異なる複数のカメラを備えた撮影装置等に関する。
【背景技術】
【０００２】
近年、メインカメラおよびサブカメラの２つのカメラを備え、通常の撮影の他に、装置の向きを変えることなくユーザ自身を撮影することが可能な携帯端末、スマートホン等の携帯情報端末が普及している。上記のような携帯情報端末では、フラッシュは、メインカメラに対応する１つのみが備えられ、サブカメラに対応するフラッシュは備えられていない。よって、サブカメラによる撮影時には、フラッシュを用いた撮影を行うことができない。
【０００３】
そこで、特許文献１には、サブカメラによる撮影時に、液晶画面のバックライトをフラッシュの代わりに点灯させる携帯応報端末が記載されている。
【先行技術文献】
【特許文献】
【０００４】
【特許文献１】特開２００５−１７３４９号公報（２００５年１月２０日公開）
【発明の概要】
【発明が解決しようとする課題】
【０００５】
上述したような、２つのカメラを有する携帯情報端末において、サブカメラに対応するフラッシュが実装されていない場合、暗所においてサブカメラで撮影すると、被写体が暗く撮影されてしまう。
【０００６】
また、携帯情報端末において自分撮りをする場合には、一般に携帯情報端末機から被写体までの距離は短い。そのため、特許文献１に記載の携帯情報端末機において、上述したように液晶表示部のバックライトをフラッシュの代わりとして用いた場合、被写体に対してこのバックライトが直接照射されるため、照射ムラが生じてしまう。
【０００７】
本発明の一態様は、上記問題に鑑みてなされたものであり、その目的は、サブカメラによる撮影においても、適切な色合いでの撮影を可能とする撮影装置等を実現することにある。
【課題を解決するための手段】
【０００８】
上記の課題を解決するために、本発明の一態様に係る撮影装置は、撮影方向の異なる複数の撮影部と発光部とを備えた撮影装置において、上記複数の撮影部のうちの１つである第１撮影部を用いる撮影の指示を受け付ける指示受付部と、上記第１撮影部による撮影時に、該第１撮影部の撮影方向とは異なる方向であって、該第１撮影部と異なる撮影部の撮影方向と同じ方向を照射する上記発光部を発光させる発光制御部と、を備えている構成である。
【０００９】
上記の課題を解決するために、本発明の一態様に係る撮影装置の制御方法は、撮影方向の異なる複数の撮影部と発光部とを備えた撮影装置の制御方法において、上記複数の撮影部のうちの１つである第１撮影部を用いる撮影の指示を受け付ける指示受付ステップと、上記第１撮影部による撮影時に、該第１撮影部の撮影方向とは異なる方向であって、該第１撮影部と異なる撮影部の撮影方向と同じ方向を照射する上記発光部を発光させる発光制御ステップと、を含む方法である。
【発明の効果】
【００１０】
本発明の一態様によれば、撮影方向とは異なる方向に照射する発光部を撮影時に発光させることができるので、被写体に対し直接、光が照射されることがない。よって、撮影装置と被写体との近距離が近い場合でも、照射ムラを生じさせることなく撮影することができるという効果を奏する。また、対応する発光部が備えられていない撮影部による撮影であっても、撮影方向とは異なる方向に照射する発光部を発光することにより、暗所であっても被写体が暗く撮影されてしまうことを防止することができるという効果を奏する。
【図面の簡単な説明】
【００１１】
【図１】本実施形態に係る携帯端末の要部構成を示すブロック図である。
【図２】（ａ）、（ｂ）は、本実施形態に係る携帯端末の使用形態を説明するための図である。
【図３】上記携帯端末を使用した場合の効果を説明するための図である。
【図４】（ａ）、（ｂ）は、上記携帯端末の外観を示す図である。
【図５】携帯端末１の代表的なハードウェア構成を示す図である。
【図６】上記携帯端末における撮影処理の流れを示すフローチャートである。
【図７】他の実施形態に係る携帯端末の要部構成を示すブロック図である。
【図８】上記携帯端末における撮影処理の流れを示すフローチャートである。
【図９】他の実施形態に係る携帯端末の要部構成を示すブロック図である。
【図１０】上記携帯端末における撮影処理の流れを示すフローチャートである。
【発明を実施するための形態】
【００１２】
〔実施形態１〕
〔概要〕
以下、図面を参照して本発明の実施の形態について、詳細に説明する。まず、図２〜図４を参照して、本実施形態に係る携帯端末（撮影装置）１の概要について説明する。図２の（ａ）、（ｂ）は、本実施形態に係る携帯端末１の使用形態を説明するための図である。また、図３は、本実施形態に係る携帯端末１を使用した場合の効果を説明するための図である。また、図４の（ａ）、（ｂ）は、本実施形態に係る携帯端末１の外観を示す図である。
【００１３】
図４に示すように、本実施形態に係る携帯端末１は、撮像方向の異なる２つカメラ（メインカメラ（撮影部、第２撮影部）４１、サブカメラ（撮影部、第１撮影部）４２）を備えるとともに、メインカメラ４１に対応する発光部３０が備えられている。すなわち、携帯端末１の一方の面にメインカメラ４１および発光部３０が備えられ（図４の（ｂ））、携帯端末１の他方の面にサブカメラ４２および表示部６０が備えられている（図４の（ａ））。
【００１４】
ユーザは、図２の（ａ）に示すように、メインカメラ４１を被写体に向け、表示部６０に表示された被写体を確認して、携帯端末１を用いて、通常の撮影を行う。また、ユーザは、ユーザ自身を撮影する場合（いわゆる、自撮り）、携帯端末１の向きを、図２（ａ）の場合と同様にした状態で、サブカメラ４２をユーザ自身に向け、表示部６０を確認して撮影を行う。
【００１５】
本実施形態では、サブカメラ４２を用いた撮影を行う場合でも、発光部３０を発光させることによる効果が見込まれる場合、発光部３０を発光させる（図２の（ｂ））。
【００１６】
例えば、図３に示すように発光部３０が発光する方向に光を反射する物体がある場合、発光部３０が発光した光が物体によって反射し、ユーザ自身へ当たる。これにより、撮影環境が暗い場合で自撮りを行う場合でも、適切な明るさで、換言すれば自然な色合いで撮影を行うことができる。また、サブカメラ４２用に、別途、発光部３０を実装する必要もない。
【００１７】
なお、本実施形態では、携帯端末１としてスマートホンを例に挙げて説明するが、これに限られるものではない。撮影方向の異なる複数のカメラを備え、一部のカメラに対応するフラッシュが実装されていない装置であればどのようなものであってもよい。
また、本実施形態では、発光部３０は、メインカメラ４１に対応するもののみ実装されている場合を説明するが、サブカメラ４２に対応する発光部３０が実装されていてもよい。
【００１８】
〔携帯端末１の要部構成〕
次に、図１を参照して、携帯端末１の要部構成について説明する。図１は、携帯端末１の要部構成を示すブロック図である。図１に示すように、携帯端末１は、制御部１０、記憶部２０、発光部３０、カメラ部（撮影部）４０、操作受付部（指示受付部）５０、および表示部６０を含む。
【００１９】
制御部１０は、携帯端末１の各部を統括的に制御する。制御部１０の機能は、記憶部２０に記憶されたプログラムを、ＣＰＵ（Central Processing Unit）が実行することで実現されてよい。制御部１０は、発光制御部１１、撮影制御部１２、およびフラッシュ判定部（発光決定部）１３を含む。
【００２０】
発光制御部１１は、後述する撮影制御部１２の指示に基づき、発光部３０の発光を制御する。具体的には、プリ発光の制御、および、本撮影時の発光部３０の発光の制御を行う。プリ発光とは、本撮影前に発光部３０を発光させることを言う。プリ発光の際は、プリ発光とともに、メインカメラ４１またはサブカメラ４２により撮影が行われる。
【００２１】
撮影制御部１２は、記憶部２０に格納されている設定データ２１の設定に従って、カメラ部４０による撮影を制御する。設定データ２１は、撮影に必要な各種設定値である。
【００２２】
フラッシュ判定部１３は、発光制御部１１によるプリ発光の結果を用いて、本撮影時に発光部３０の発光を行うか否かの決定を行う。一例として、フラッシュ判定部１３は、プリ発光前後におけるサブカメラ４２による撮像画像の輝度（平均輝度値）が変化（例えば、増加）したか否かを判定し、平均輝度値が増加した場合、本撮影時に発光部３０を発光させると決定する。なお、フラッシュ判定部１３は、記憶部２０に格納されているフラッシュ判定条件２２を用い、条件を満たす場合に本撮像時に発光部３０を発光させると決定してもよい。フラッシュ判定条件２２としては、閾値となる輝度値が挙げられる。これにより、撮像画像の輝度値が閾値を超える場合、本撮像時に発光部３０を発光させると決定することができる。
【００２３】
記憶部２０は、設定データ２１、およびフラッシュ判定条件２２を含む各種データ等を格納するものであり、フラッシュメモリ等の不揮発性の記憶装置によって構成される。
【００２４】
発光部３０は、発光制御部１１の指示により、メインカメラ４１の撮像方向に発光する。発光部３０としては、光を発するものであればどのようなもので構成されていてもよいが、例えばＬＥＤ（light emitting diode）が挙げられる。
【００２５】
カメラ部４０は、メインカメラ４１およびサブカメラ４２を含む。メインカメラ４１およびサブカメラ４２は、内部にレンズ群、絞り、撮像素子などを備えたデジタルカメラを搭載している。撮像素子の例としては、ＣＣＤ（charge coupled device）、およびＣＭＯＳ（Complementary Metal-oxide Semiconductor）イメージセンサ等が挙げられる。カメラ部４０は、被写体の撮影を行って撮影画像を取得し、撮影画像のデータに変換して制御部１０に送信する。
【００２６】
操作受付部５０は、携帯端末１に対する操作を受け付け、受け付けた内容を制御部１０に通知する。
【００２７】
表示部６０は、各種情報を表示する。表示部６０は、情報の表示が可能であればどのようなものによって実現されてもよいが、例えば、液晶ディスプレイ、有機ＥＬ（Electro Luminescence）ディスプレイ、プラズマディスプレイ等が挙げられる。
【００２８】
また、タッチパネルとして、操作受付部５０および表示部６０を一体として構成するものであってもよい。
【００２９】
〔携帯端末１のハードウェア構成例〕
次に、図５を参照して、携帯端末１のハードウェア構成例について説明する。図５は、携帯端末１の代表的なハードウェア構成を示す図である。図５に示すように、携帯端末１は、制御部１０となるＣＰＵ（Central Processing Unit）にメインカメラ４１、サブカメラ４２、表示部６０、記憶部２０、操作受付部５０、ＲＯＭ（Read Only Memory）５１、ＲＡＭ（Random Access Memory）５２、および発光部３０が接続されている。
【００３０】
〔携帯端末１における処理の流れ〕
次に、図６を参照して携帯端末１における撮影処理の流れを説明する。図６は、携帯端末１における処理の流れを示すフローチャートである。
【００３１】
図６に示すように、撮影処理が開始すると、撮影制御部１２は、操作受付部５０で受け付けたユーザからの指示がサブカメラ４２による撮影か否かを判断し（Ｓ１０１、指示受付ステップ）、サブカメラ４２による撮影でなければ（Ｓ１０１でＮＯ）、メインカメラ４１による撮影処理に進む（Ｓ１１０）。
【００３２】
一方、サブカメラ４２による撮影の場合（Ｓ１０１でＹＥＳ）、操作受付部５０でシャッターの押下を受け付けると（Ｓ１０３）、撮影制御部１２は、フラッシュ設定を確認し（Ｓ１０４）、フラッシュＯＦＦであれば（Ｓ１０４でＯＦＦ）、ステップＳ１０８に進み、フラッシュ自動であれば（Ｓ１０４で自動）、ステップＳ１０５に進み、フラッシュＯＮであれば（Ｓ１０４でＯＮ）、ステップＳ１０９に進む。フラッシュＯＦＦとは発光部３０（フラッシュ）を点灯しない設定である。フラッシュ自動とは、発光部３０を点灯するか否かを携帯端末１で判断する設定である。フラッシュＯＮとは発光部３０を点灯する設定である。
【００３３】
フラッシュＯＦＦで（Ｓ１０４でＯＦＦ）、ステップＳ１０８に進んだ場合、撮影制御部１２は、発光部３０を発光させることなく、サブカメラ４２による撮影を行う（Ｓ１０８）。
【００３４】
フラッシュ自動で（Ｓ１０４で自動）、ステップＳ１０５に進んだ場合、撮影制御部１２がメインカメラ４１を起動させるとともに、発光制御部１１が発光部３０に発光させる（Ｓ１０５）。本実施形態では、この発光をプリ発光と呼ぶ。プリ発光の際には、プリ発光の前後にわたり、メインカメラ４１による撮影が行われる。
【００３５】
次に、フラッシュ判定部１３は、プリ発光による効果があったか否かを判定する。具体的には、プリ発光の前後で、メインカメラ４１によって撮影された画像データにおける輝度値が増加したか否かを判定する。そして、効果があったと判定した場合（Ｓ１０６でＹＥＳ）、撮影制御部１２は、発光制御部１１に発光部３０を発光させて、サブカメラ４２による撮影を行う（Ｓ１０７、発光制御ステップ）。本実施形態では、この発光を本発光と呼ぶ。一方、効果がないと判定した場合（Ｓ１０６でＮＯ）、ステップＳ１０８に進み、撮影制御部１２は発光部３０を発光させることなく、サブカメラ４２による撮影を行う。
【００３６】
フラッシュＯＮで（Ｓ１０４でＯＮ）、ステップＳ１０９に進んだ場合、撮影制御部１２は、発光制御部１１に発光部３０を発光させて、サブカメラ４２による撮影を行う（Ｓ１０９）。
【００３７】
以上が、携帯端末１における撮影処理の流れである。
【００３８】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００３９】
本実施形態では、上述した実施形態における図６のステップS１０５において、プリ発光の前後にわたり、サブカメラ４２による撮影が行われる。そして、上述した実施形態における図６のステップＳ１０６において、フラッシュ判定部１３はプリ発光により効果があったか否かの判断を、メインカメラ４１によって撮影された画像データではなく、サブカメラ４２によって撮影された画像データを用いて行う。これ以外の動作は、上述した実施形態１と同様である。
【００４０】
プリ発光により効果あった否かの判断を、サブカメラ４２によって撮影された画像データを用いることにより、撮影の結果に近い画像データを用いて判断を行うことができる。
【００４１】
〔実施形態３〕
本発明のさらに他の実施形態について、図７、および図８に基づいて説明すれば、以下のとおりである。なお、説明の便宜上、前記実施形態にて説明した部材と同じ機能を有する部材については、同じ符号を付記し、その説明を省略する。図７は、本実施形態に係る携帯端末１ａの要部構成を示すブロック図である。図８は、本実施形態に係る携帯端末１ａにおける撮影処理の流れを示すフローチャートである。
【００４２】
本実施形態では、発光部３０の発光方向に存在する物体が発光部３０からどの程度の距離にあるかを測定し、その結果を用いてサブカメラ４２による撮影時に発光部３０を発光するか否かを決定する。これにより、発光部３０による発光の効果が見込める場合に、発光部３０を発光させることができる。
【００４３】
具体的には、図７に示すように、本実施形態に係る携帯端末１ａは、測距センサ（測距部）７０を備えるとともに、制御部１０ａに距離判定部（発光決定部）１４を含む。
【００４４】
測距センサ７０は、物体との距離を測定するセンサであり、発光部３０の照射方向に存在する物体までの距離を測定し、その結果を距離判定部１４に通知する。
【００４５】
距離判定部１４は、測距センサ７０が測定した結果が、距離判定条件２３で定められた所定距離内か否かを判定し、その結果を撮影制御部１２に通知する。距離判定条件２３は、物体がどの程度の距離であれば、発光の効果を見込めるかを判定するための基準である。撮影制御部１２は、物体が所定距離内に存在する場合、サブカメラ４２の撮影時に発光部３０を発光させる。
【００４６】
次に、図８を参照して、携帯端末１ａにおける撮影処理の流れを説明する。ステップＳ１０４までは、上述した実施形態１の図６と同様である。本実施形態では、ステップＳ１０４で自動の場合、距離判定部１４が、発光部３０の照射方向の所定距離内に物体があるか否かを判定する（Ｓ２０１）。そして、距離判定部１４が所定距離内に物体があると判定した場合（Ｓ２０１でＹＥＳ）、ステップＳ１０７に進む。一方、距離判定部１４が所定距離内に物体がないと判定した場合（Ｓ２０１でＮＯ）、ステップＳ１０８に進む。
【００４７】
（実施形態３の変形例）
上述した実施形態３では、発光部３０の照射方向の所定距離内に物体が存在するか否かにより発光部３０を発光するか否かを決定していた。しかし、所定距離内に物体が存在しているからといって、発光部３０から照射された光が必ず反射するとは限らない。また、物体によって反射の程度も異なる。
【００４８】
そこで、本変形例では、図８のステップＳ２０１の後、図６のステップＳ１０５、Ｓ１０６に進む。これにより、発光部３０の照射方向の所定距離内に物体が存在する場合に、発光制御部１１がプリ発光を行い、フラッシュ判定部１３がプリ発光の結果を用いて発光による効果が認められると判定した場合に、サブカメラ４２による撮影時に発光部３０を発光する。よって、確実に効果が見込める場合にのみ、発光部３０を発光させることができる。また、発光部３０の照射方向の所定距離内に物体が存在しない場合は、プリ発光を行わないので、無駄となるプリ発光を抑制することもできる。
【００４９】
〔実施形態４〕
本発明のさらに他の実施形態について、図９、および図１０に基づいて説明すれば、以下のとおりである。なお、説明の便宜上、前記実施形態にて説明した部材と同じ機能を有する部材については、同じ符号を付記し、その説明を省略する。図９は、本実施形態に係る携帯端末１ｂの要部構成を示すブロック図である。図１０は、本実施形態に係る携帯端末１ｂにおける撮影処理の流れを示すフローチャートである。
【００５０】
一般に、撮影装置のフラッシュには、白色ＬＥＤが用いられることが多い。よって、本実施形態に係る発光部３０にも、白色ＬＥＤを用いることができる。ただし、白色ＬＥＤは疑似白色のため赤色の波長成分が少ない。したがって、発光部３０による発光のみで撮影を行った場合、赤みの少ない撮影画像となる可能性がある。そこで、本実施形態では、発光部３０によるプリ発光時の撮影画像から色温度を測定し、不足している色（赤色等）をサブカメラ４２による撮影時に表示部６０に表示させて、当該表示部６０の光を被写体に照射することにより、適切な色合いでの撮影を可能とするものである。なお、表示部６０の表示面の垂線方向（表示面に垂直な方向）とサブカメラ４２の撮影方向とは同じ（または略同じ）である。
【００５１】
本実施形態に係る携帯端末１ｂは、制御部１０ａに色温度判定部（色温度測定部）１５、および表示制御部１６を含む。
【００５２】
色温度判定部１５は、プリ発光時におけるメインカメラ４１またはサブカメラ４２による撮影画像における色温度を測定し、色温度判定条件２４を用いて適切に再現するために不足している色合いを導出し、表示制御部１６に通知する。色温度判定条件２４は、適切な再現に必要な色合いの情報である。当該情報を用いることにより、適切な再現に不足する色合いを判定することができる。
【００５３】
表示制御部１６は、サブカメラ４２による撮影時に、色温度判定部１５から通知された測定結果である不足している色合いを表示部６０に表示させる。
【００５４】
次に、図１０を参照して、携帯端末１ｂにおける撮影処理の流れを説明する。ステップＳ１０４までは、上述した実施形態１の図６と同様である。本実施形態では、ステップＳ１０４で自動、またはフラッシュＯＮの場合、ステップＳ１０５に進み、撮影制御部１２がメインカメラ４１を起動させるとともに、発光制御部１１が発光部３０に発光させる。次に、色温度判定部１５は、プリ発光時におけるメインカメラ４１の撮影データから不足している色合いを判定し、撮影制御部１２は、表示部６０の表示色を設定する（Ｓ３０１）。そして、撮影制御部１２は、発光部３０による発光とともに、設定した色を表示部６０に表示させて、サブカメラ４２による撮影を行う（Ｓ３０２）。なお、上記の不足する色合いとしては赤色に限定されることはなく、フラッシュによる光では不足する色成分を表示部６０から照射する光により補えばよい。
【００５５】
〔実施形態５〕（ソフトウェアによる実現例）
携帯端末１（１ａ、１ｂ）の制御ブロック（特に制御部１０、１０ａ、１０ｂ（発光制御部１１、撮影制御部１２、フラッシュ判定部１３、距離判定部１４、色温度判定部１５、表示制御部１６））は、集積回路（ＩＣチップ）等に形成された論理回路（ハードウェア）によって実現してもよいし、ＣＰＵ（Central Processing Unit）を用いてソフトウェアによって実現してもよい。
【００５６】
後者の場合、携帯端末１（１ａ、１ｂ）は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５７】
〔まとめ〕
本発明の態様１に係る撮影装置（携帯端末１）は、撮影方向の異なる複数の撮影部（カメラ部４０、メインカメラ４１、サブカメラ４２）と発光部（３０）とを備えた撮影装置において、上記複数の撮影部のうちの１つである第１撮影部（サブカメラ４２）を用いる撮影の指示を受け付ける指示受付部（操作受付部５０）と、上記第１撮影部による撮影時に、該第１撮影部の撮影方向とは異なる方向であって、該第１撮影部と異なる撮影部の撮影方向と同じ方向を照射する上記発光部を発光させる発光制御部（１１）と、を備えている構成である。
【００５８】
上記の構成によれば、撮影方向とは異なる方向に照射する発光部を撮影時に発光させることができるので、被写体に対し直接、光が照射されることがない。よって、撮影装置と被写体との近距離が近い場合でも、照射ムラを生じさせることなく撮影することができる。
【００５９】
また、対応する発光部が備えられていない撮影部による撮影であっても、撮影方向とは異なる方向に照射する発光部を発光することにより、暗所であっても被写体が暗く撮影されてしまうことを防止することができる。
【００６０】
本発明の態様２に係る撮影装置は、上記の態様１において、上記第１撮影部による撮影時に、該第１撮影部と異なる撮影部の撮影方向と同じ方向を照射する上記発光部を発光させるか否かを決定する発光決定部（フラッシュ判定部１３、距離判定部１４）を備え、上記発光制御部は、上記発光決定部の決定に従って、上記発光部を発光させる構成としてもよい。
【００６１】
上記の構成によれば、発光決定部の決定に従って発光部を発光させることができるので、発光させるか否かを制御することができる。
【００６２】
本発明の態様３に係る撮影装置は、上記の態様２において、上記発光制御部は、上記第１撮影部による撮影前に上記発光部を発光させるプリ発光を行い、上記発光決定部は、上記プリ発光とともに撮影された撮影画像を用いて、上記発光部を発光させるか否かを決定する構成としてもよい。
【００６３】
上記の構成によれば、撮影前に発光部を発光させるプリ発光とともに撮影された撮影画像を用いて発光部を発光させるか否かを決定することができる。よって、発光部を発光させることにより効果が見込める場合のみ、発光させることができる。
【００６４】
本発明の態様４に係る撮影装置は、上記の態様３において、上記プリ発光とともに撮影された撮影画像は、上記複数の撮影部のうち上記発光部に対応する撮影部である第２撮影部により上記プリ発光の前後にわたって撮影されたものであり、上記発光決定部は、上記撮影画像における上記プリ発光前後の輝度の変化を用いて上記発光部を発光させるか否かを決定する構成としてもよい。
【００６５】
上記の構成によれば、撮影部による撮影画像の輝度の変化を用いて、発光部を発光させるか否かを決定することができるので、発光による効果が見込めるか否かを撮影画像の明るさを用いて判断することができる。
【００６６】
本発明の態様５に係る撮影装置は、上記の態様３において、上記プリ発光とともに撮影された撮影画像は、上記第１撮影部により上記プリ発光の前後にわたって撮影されたものであり、上記発光決定部は、上記撮影画像における上記プリ発光前後の輝度の変化を用いて上記発光部を発光させるか否かを決定する構成としてもよい。
【００６７】
上記の構成によれば、撮影部による撮影画像の輝度の変化を用いて、発光部を発光させるか否かを決定することができるので、発光による効果が見込めるか否かを撮影画像の明るさを用いて判断することができる。
【００６８】
本発明の態様６に係る撮影装置は、上記の態様２〜５のいずれかにおいて、上記発光部の照射方向に存在する物体までの距離を測定する測距部（測距センサ７０）を備え、上記発光決定部は、上記測距部が測定した上記距離を用いて、上記発光部を発光させるか否かを決定する構成としてもよい。
【００６９】
上記の構成によれば、発光部の照射方向に存在する物体までの距離を用いて発光部を発光させるか否か決定することができる。よって発光部からの光を反射する可能性のある物体までの距離を考慮して、発光部を発光させるか否か決定することができる。
【００７０】
本発明の態様７に係る撮影装置は、上記の態様１において、上記発光制御部は、上記第１撮影部による撮影時に上記発光部を発光させるプリ発光を行い、表示面の垂線方向が、上記第１撮影部の撮影方向と略同じ表示部（６０）と、上記プリ発光時の上記複数の撮影部の何れかによる撮影画像の色温度を測定する色温度測定部（色温度判定部１５）と、上記第１撮影部による撮影時に、上記色温度測定部の測定結果に基づいて導出された色を上記表示部に点灯させる表示制御部と、を備えている構成としてもよい。
【００７１】
上記の構成によれば、発光部から発光された光で不足する色合いを、表示部の点灯による光で補充することができるので、より適切な色合いで撮影を行うことができる。
【００７２】
本発明の態様８に係る撮影装置の制御方法は、撮影方向の異なる複数の撮影部と発光部とを備えた撮影装置の制御方法において、上記複数の撮影部のうちの１つである第１撮影部を用いる撮影の指示を受け付ける指示受付ステップと、上記第１撮影部による撮影時に、該第１撮影部の撮影方向とは異なる方向であって、該第１撮影部と異なる撮影部の撮影方向と同じ方向を照射する上記発光部を発光させる発光制御ステップと、を含む方法である。
【００７３】
本発明の各態様に係る撮影装置は、コンピュータによって実現してもよく、この場合には、コンピュータを上記撮影装置が備える各部（ソフトウェア要素）として動作させることにより上記撮影装置をコンピュータにて実現させる撮影装置の制御プログラム、およびそれを記録したコンピュータ読み取り可能な記録媒体も、本発明の範疇に入る。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１、１ａ、１ｂ  携帯端末（撮影装置）、１０、１０ａ  制御部、１１  発光制御部、１２  撮影制御部、１３  フラッシュ判定部（発光決定部）、１４  距離判定部（発光決定部）、１５  色温度判定部（色温度測定部）、１６  表示制御部、２０  記憶部、２１  設定データ、２２  フラッシュ判定条件、２３  距離判定条件、２４  色温度判定条件、３０  発光部、４０  カメラ部（撮影部）、４１  メインカメラ（撮影部、第２撮影部）、４２  サブカメラ（撮影部、第１撮影部）、５０  操作受付部（指示受付部）、６０  表示部、７０  測距センサ
【図１】
2018091923.tif 000003
【図２】
2018091923.tif 000004
【図３】
2018091923.tif 000005
【図４】
2018091923.tif 000006
【図５】
2018091923.tif 000007
【図６】
2018091923.tif 000008
【図７】
2018091923.tif 000009
【図８】
2018091923.tif 000010
【図９】
2018091923.tif 000011
【図１０】
2018091923.tif 000012